(57)【要約】【課題】防水、防塵の効果を有する延長コード防水ケースを提供する。【解決手段】この延長コード防水ケースは、中空のベース（１）と、中空の上蓋（２）とを備え、ベース（１）と上蓋（２）の開孔縁（１０、２０）に半円孔（１１、２１）、環状凹溝（１２、２２）及び半円状凹孔（１３、２３）を有し、凹溝（１２、２２）及び半円状凹孔（１３、２３）の内部に軟性樹脂パッド（３、４）及び突出半円状軟性樹脂（３１、４１）を嵌め込まれて、ベース（１）と上蓋（２）を合わせた時に、軟性樹脂パッド（３、４）及び半円状軟性樹脂（３１、４１）を相互に係合させるようにした。【選択図】図４
0003132339.tif 000002
【実用新案登録請求の範囲】
【請求項１】
中空のベース（１）と、
ベース（１）上に被覆する中空の上蓋（２）とを備え、
ベース（１）と上蓋（２）の開孔側の縁部（１０、２０）に相互に対応する半円孔（１１、２１）、環状凹溝（１２、２２）及び半円孔（１１、２１）と対応する複数の半円状凹孔（１３、２３）が形成され、凹溝（１２、２２）の内部に突出半円状軟性樹脂（３１、４１）を一体に形成された軟性樹脂パッド（３、４）が嵌入されるとともに、半円状凹孔（１３、２３）に突出半円状軟性樹脂（３１、４１）が嵌め込まれて、
ベース（１）と上蓋（２）の開孔側の縁部（１０、２０）を合わせた時に、二つの凹溝（１２、２２）内の軟性樹脂パッド（３、４）及び半円状軟性樹脂（３１、４１）が相互に係合されることを特徴とする延長コード防水ケース。
【請求項２】
中空のベース（１）と、
ベース（１）上に被覆する中空の上蓋（２）とを備え、
ベース（１）及び上蓋（２）の開孔側の縁部（１０、２０）に相互に対応する半円孔（１１、２１）及び半円孔（１１、２１）と対応する複数の半円状凹孔（１３、２３）が形成されるとともに、ベース（１）及び上蓋（２）の開孔側の縁部（１０、２０）に相互に対応する環状凹溝（１２）及び環状突起押えゴム（２２）が設けられて、ベース（１）の凹溝（１２）及び半円状凹孔（１３）の内部に軟性樹脂パッド（３）及びこの軟性樹脂パッド（３）に一体成形された半円状軟性樹脂（３１）がそれぞれ嵌入され、上蓋（２）の半円状凹孔（２３）の内部に半円状軟性樹脂（５）を嵌入されて、
ベース（１）と上蓋（２）の開孔側の縁部（１０、２０）を合わせた時に、凹溝（１２）内の軟性樹脂パッド（３）は突起押えゴム（２１）によって押さえ込まれ、半円状軟性樹脂（３１）は半円状軟性樹脂（５）と相互に係合されることを特徴とする延長コード防水ケース。
【請求項３】
中空のベース（１）と、
ベース（１）上に被覆する中空の上蓋（２）とを備え、
ベース（１）と上蓋（２）の開孔側の縁部（１０、２０）に相互に対応する半円孔（１１、２１）、及び半円孔（１１、２１）と対応する複数の半円状凹孔（１３、２３）が形成され、半円状凹孔（１３、２３）の内部に半円状軟性樹脂（５、６）が嵌入されて、
ベース（１）と上蓋（２）の開孔側の縁部（１０、２０）を嵌め合わせた時に、二つの半円状軟性樹脂（５、６）が相互に係合されることを特徴とする延長コード防水ケース。
【考案の詳細な説明】
【技術分野】
【０００１】
本考案は、一種の延長コード防水ケースに関する。
【背景技術】
【０００２】
電器製品を屋外で使用する時に、延長コードを利用することがよくあるが、屋外では露や雨水が発生するため、延長コードのソケットを直接置いて使用することはできない。特に屋外に設置されるクリスマス装飾ランプは数量が多く、一つの延長コードのソケットを共用しなければならないが、ソケットを直接屋外に放置することができないため、大変不便である。
【０００３】
延長コードを屋外でも使用できるように、従来、延長コードのソケットを延長コード用ケースに入れ、電源ケーブルをケースの開孔部から引き出して使うという手段が提案され、これにより、延長コードのソケットはケース内に密封され、露や雨水等の影響を受けずに済む。なお、この種の延長コードに関する先行技術文献には、特許文献１に記載されたものがある。
【０００４】
【特許文献１】実用新案登録第３１１１３１８号公報
【考案の開示】
【考案が解決しようとする課題】
【０００５】
しかしながら、上述の延長コード用ケースはケースの部分が中空のベース及びベース上を被覆する中空の上蓋から構成されているため、両者の密閉性が悪いと、両者を合わせ、閉じた時に隙間ができ、水気がその隙間から浸入するという不具合が発生する。ある業者はベースの上縁に凸環、上蓋の底縁に凹環を設け、これら凸環と凹環の嵌合により水気の浸入を防止する手法を考案したが、凸環及び凹環の嵌合方式は射出成型、熱膨張の影響により密閉性が低下するため、一部の延長コード用ケースには水気浸入の問題が発生する。また、電源ケーブルを通すための開孔部から水気が浸入することもあり、一部の業者は電源ケーブルに樹脂カバーを付けることで開孔を密封する手段を考案した。これにより、水気浸入防止の作用を果たすことができるが、その隙間を確実に埋めるためには、ベースと上蓋を閉じる時に樹脂カバーを開孔部に正確に装着しなければならない。
【０００６】
本考案は、このような従来の課題に鑑みなされたもので、防水、防塵の効果を有する延長コード防水ケースを提供すること、を目的とする。
【課題を解決するための手段】
【０００７】
前述の問題を改善し、本考案の目的を達成すべく、本考案は以下の技術手段が採用される。
（１）請求項１における一種の延長コード防水ケースは、一つの中空ベース１、ベース１上に被覆する一つの中空上蓋２を含み、その特徴は、ベース１と上蓋２の開孔側の上縁１０、２０に相互に対応する半円孔１１、２１を設け、開孔側の上縁１０、２０に環状凹溝１２、２２及び前述の半円孔１１、２１と対応する複数の半円状凹孔１３、２３を開け、前述の凹溝１２、２２の内部に軟性樹脂パッド３、４を嵌入したことである。その軟性樹脂パッド３、４は一体形成された突出半円状軟性樹脂３１、４１を有し、それらを前述の半円状凹孔１３、２３に嵌め込むことができる。この構造により、前述のベース１と上蓋２の開孔側上縁１０、２０を合わせたとき（嵌め合わせると）、二つの凹溝１２、２２内の軟性樹脂パッド３、４及び二つの半円状軟性樹脂３１、４１は相互に上下嵌合される。
（２）請求項２における一種の延長コード防水ケースは、一つの中空ベース１、ベース１上に被覆する一つの中空上蓋２を含み、その特徴は、ベース１及び上蓋２の開孔側上縁部に相互に対応する半円孔１１、２１、ベース１及び上蓋２の開孔側の上縁１０、２０に相互に対応する環状凹溝１２及び環状突起押えゴム２２設置し、さらにベース１と上蓋２の開孔側の上縁１０、２０に前述の半円孔１１、２１と対応する複数の半円状凹孔１３、２３を開け、前述のベース１の凹溝１２及び半円状凹孔１３の内部に半円状軟性樹脂３１が一体成型されている軟性樹脂パッド３をそれぞれ嵌入し、さらに上蓋２の半円状凹孔２３の内部に半円状軟性樹脂５を嵌入させたことである。この構造により、前述のベース１と上蓋２の開孔側上縁１０、２０を合わせたとき（嵌め合わせると）、凹溝１２内の軟性樹脂パッド３は突起押えゴム２１によって押さえ込まれ、半円状軟性樹脂３１は半円状軟性樹脂５と相互に上下嵌合される。
（３）請求項３における一種の延長コード防水ケースは、一つの中空ベース１、ベース１上に被覆する一つの中空上蓋２を含み、その特徴は、ベース１と上蓋２の開孔側の上縁１０、２０に相互に対応する半円孔１１、２１を設け、開孔側の上縁１０、２０に前述の半円孔１１、２１と対応する複数の半円状凹孔１３、２３を開け、前述の半円状凹孔１３、２３の内部に半円状軟性樹脂５、６、を嵌入したことである。この構造により、ベース１と上蓋２の開孔側上縁１０、２０を合わせたとき（嵌め合わせると）、二つの半円状軟性樹脂５、６は相互に上下嵌合される。
【考案の効果】
【０００８】
本考案の延長コード防水ケースは、上記の各構成により、ベース１と上蓋２を確実に閉じ合わせると、水気や塵埃が電源ケーブルの開孔からケースに侵入するのを防止し、ケース内の延長コードのソケット７を湿気から守ることができる。
【考案を実施するための最良の形態】
【０００９】
以下、本考案の実施の形態について説明する。図１の斜視図は本考案による延長コード保護ケースの延長コードを装着する時の（上蓋とベースを閉じた）状態を示し、図２の斜視図は同延長コード保護ケースを展開した時の（上蓋とベースを開いた）状態を示している。これら図１及び図２に示すように、延長コード保護ケースは一つの中空のベース１と、ベース１上を被覆する一つの中空の上蓋２とによって構成され、上蓋２の開孔側の外側に二つの留め具２５が設けられるとともに、ベース１の開孔側の外側に当該留め具２５を引っ掛けて固定するための二つのホゾ１５が設けられ、また、上蓋２の最上部に取っ手６が設置されて、ベース１内に延長コードのソケット７が収納できるようになっている。この考案では、延長コードのソケット７の電源ケーブル７１を延長コード保護ケースから引っ張り出した時に水気が電源ケーブル７１の開孔から浸入するのを防ぐため、以下の三つの実施の形態を採用している。以下、図面に基づき、第１乃至第３の実施の形態について詳細に説明する。
【００１０】
図３及び図４に第１の実施の形態を示している。図３は延長コード保護ケースの一部分解斜視図であり、図４はこの延長コード保護ケースの一部破断斜視図及びその要部の部分拡大断面斜視図である。図３に示すように、ベース１と上蓋２の開孔側の上縁１０、２０には、相互に対応する半円孔１１、２１、環状凹溝１２、２２及び半円孔１１、２１に対応する複数の半円状凹孔１３、２３が形成され、環状凹溝１２、２２の内部に防水性の軟性樹脂パッド３、４が嵌入される。この軟性樹脂パッド３、４はゴム材質、シリコン材質または発泡樹脂材質などにより環状に形成され、突出半円状軟性樹脂３１、４１が一体に形成されて、突出半円状軟性樹脂３１、４１を半円状凹孔１３、２３に嵌め込むようになっている。そして、図４に示すように、ベース１と上蓋２の開孔側上縁１０、２０を嵌め合わせると、二つの凹溝１２、２２内の軟性樹脂パッド３、４は、図４（Ａ）に示すように、相互に嵌合して防水効果を発揮することができる。また、開孔１１、２１から引っ張り出された電源ケーブル８は、図４（Ｂ）に示すように、半円状軟性樹脂３１、４１が相互に嵌合することで防水効果を発揮することができる。防水性の軟性樹脂パッド３、４及び軟性樹脂３１、４１にはゴム材質、シリコン材質または発泡樹脂材質が用いられ、いずれも伸縮性に富んでいるため、電源ケーブル７１を二つの軟性樹脂３１、４１の間に通した時、二つの軟性樹脂３１、４１は電源ケーブル７１を確実に包覆し、水気が半円孔１１、２１から延長コード保護ケース内に浸入するのを防止できる。なお、図４（Ｃ）及び図４（Ｄ）に示すように、ベース１と上蓋２を離すと、防水性の軟性樹脂パッド３、４及び軟性樹脂３１、４１の圧迫は解除されて元の状態に回復するため、軟性樹脂パッド３、４は凹溝１２、２２の外部に突出し、軟性樹脂３１、４１は凹孔溝１３、２３の外部に突出する。
【００１１】
図５、図６及び図７に第２の実施の形態を示している。図５は延長コード保護ケースの一部分解斜視図であり、図６及び図７はそれぞれ、この延長コード保護ケースの要部の部分拡大断面斜視図である。図５に示すように、ベース１及び上蓋２の開孔側の上縁１０、２０に相互に対応する半円孔１１、２１及びこれら半円孔１１、２１と対応する複数の半円状凹孔１３、２３が形成されるとともに、ベース１及び上蓋２の開孔側の上縁１０、２０に相互に対応する環状凹溝１２及び環状突起押えゴム２２が設けられて、ベース１の凹溝１２及び半円状凹孔１３の内部に半円状軟性樹脂３１を一体成型されている軟性樹脂パッド３がそれぞれ嵌入され、上蓋２の半円状凹孔２３の内部に半円状軟性樹脂５が嵌入される。これにより、ベース１と上蓋２の開孔側の上縁１０、２０を嵌め合わせると、図６に示すように、突起押えゴム２２は凹溝１２内に押し込まれ、水気防止を役割を果たす。また、図７に示すように、半円状軟性樹脂３１と半円状軟性樹脂５が上下嵌合された時も同様に水気防止の効果を有する。
【００１２】
図８に第３の実施の形態を示している。図８は延長コード保護ケースの一部分解斜視図である。図８に示すように、ベース１と上蓋２の開孔側の上縁１０、２０には、相互に対応する半円孔１１、２１、及び半円孔１１、２１と対応する複数の半円状凹孔１３、２３が形成され、これら半円状凹孔１３、２３の内部に半円状軟性樹脂５、６、が嵌入される。これにより、ベース１と上蓋２の開孔側の上縁１０、２０を嵌め合わせると、二つの半円状軟性樹脂５、６が相互に嵌合される。二つの半円状軟性樹脂５、６は半円孔１１、２１内の電源ケーブル７１を包覆し、水気が開孔から浸入するのを確実に防止できる。
【００１３】
ここまで図式の実施例に基づき説明した本考案の構造、特徴、作用及び効果は新規性及び創作性の登録要件を備えているので、特許法に従って実用新案登録出願を提出する。
【図面の簡単な説明】
【００１４】
【図１】本考案の第１乃至第３の実施の形態における延長コード保護ケースの延長コードを装着する時の状態を示す斜視図
【図２】同延長コード保護ケースを展開した時の状態を示す斜視図
【図３】本考案の第１の実施の形態の延長コード保護ケースを示す一部分解斜視図
【図４】同延長コード保護ケースの一部破断斜視図で、（Ａ）、（Ｂ）、（Ｃ）、（Ｄ）はそれぞれその要部を示す部分拡大断面斜視図
【図５】本考案の第２の実施の形態の延長コード保護ケースを示す一部分解斜視図
【図６】同延長コード保護ケースの要部を示す部分拡大断面斜視図
【図７】同延長コード保護ケースの要部を示す部分拡大断面斜視図
【図８】本考案の第３の実施の形態の延長コード保護ケースを示す一部分解斜視図
【符号の説明】
【００１５】
１  ベース
２  上蓋
２５  留め具
１５  ホゾ
６  取っ手
７  延長コードのソケット
７１  電源ケーブル
１０、２０  上縁
１１、２１  半円孔
１２、２２  凹溝
１３、２３  半円状凹孔
３、４  軟性樹脂パッド
３１、４１  半円状軟性樹脂
５、６  半円状軟性樹脂
【図１】
0003132339.tif 000003
【図２】
0003132339.tif 000004
【図３】
0003132339.tif 000005
【図４】
0003132339.tif 000006
【図５】
0003132339.tif 000007
【図６】
0003132339.tif 000008
【図７】
0003132339.tif 000009
【図８】
0003132339.tif 000010